(57)【要約】【課題】開口部を容易にシールできるパウチ、そのパウチに内容物が封入された内容物封入パウチ、および、その製造方法を提供する。【解決手段】パウチ２００は、内容物を収容可能な内部空間２１９を形成する袋本体部２３１と、袋本体部２３１に形成され、内部空間２１９を開放する第１開口部２３５と、袋本体部２３１の側方部２３１Ａから外方に向けて突出するように形成され、内部空間２１９に内容物を入れるために開放されている第２開口部２３６とを備える。【選択図】図１
2015143136.tif 000002
【特許請求の範囲】
【請求項１】
内容物を収容可能な内部空間を形成する袋本体部と、
前記袋本体部に形成され、前記内部空間を開放する第１開口部と、
前記袋本体部の側方部から外方に向けて突出するように形成され、前記内部空間に内容物を入れるために開放されている第２開口部とを備える
パウチ。
【請求項２】
請求項１に記載のパウチと、
前記内部空間に収容された内容物とを備え、
前記第１開口部および前記第２開口部が閉じられている
内容物封入パウチ。
【請求項３】
内容物を収容可能な内部空間を形成する袋本体部と、前記袋本体部に形成され、前記内部空間を開放する第１開口部と、前記袋本体部の側方部から外方に向けて突出するように形成され、前記内部空間に内容物を入れるために開放されている第２開口部とを備えるパウチと、
前記内部空間に収容された内容物と
を備える内容物封入パウチを製造するための製造方法であって、
前記第１開口部が閉鎖され、前記第２開口部が開放されている前記パウチを製造する工程と、
前記パウチの側方部における前記第２開口部の隣の部分をチャックする工程と、
チャックされた前記パウチの前記第２開口部から前記内部空間に内容物を充填する工程と、
前記内容物が充填された前記パウチの前記第２開口部をシールする工程とを備える
内容物封入パウチの製造方法。
【発明の詳細な説明】
【技術分野】
【０００１】
本発明は、内容物を収容可能なパウチ、そのパウチに内容物が充填された内容物封入パウチ、および、その製造方法に関する。
【背景技術】
【０００２】
特許文献１は、パウチおよびパウチに充填された食材を有する内容物封入パウチの一例を開示している。特許文献１のパウチの底部に形成されている開口は閉塞されている。
ところで、内容物封入パウチは、例えば次の工程を経て製造される。最初に、底部の開口が開放されているパウチがチャック装置によりチャックされる。次に、パウチの底部の開口からパウチの内部に食材が充填される。次に、シール装置により底部の開口がシールされ、底部の開口が閉塞される。
【先行技術文献】
【特許文献】
【０００３】
【特許文献１】特開２００９−１６６８４７号公報
【発明の概要】
【発明が解決しようとする課題】
【０００４】
上記内容物封入パウチの製造方法によれば、シール装置の移動範囲がチャック装置により制限され、シール作業に時間がかかるおそれがある。
本発明の目的は、開口部を容易にシールできるパウチ、そのパウチに内容物が封入された内容物封入パウチ、および、その製造方法を提供することである。
【課題を解決するための手段】
【０００５】
〔１〕本発明に従うパウチの一形態は、内容物を収容可能な内部空間を形成する袋本体部と、前記袋本体部に形成され、前記内部空間を開放する第１開口部と、前記袋本体部の側方部から外方に向けて突出するように形成され、前記内部空間に内容物を入れるために開放されている第２開口部とを備える。
【０００６】
〔２〕本発明に従う内容物封入パウチの一形態は、上記〔１〕に記載のパウチと、前記内部空間に収容された内容物とを備え、前記第１開口部および前記第２開口部が閉じられている。
【０００７】
〔３〕本発明に従う内容物封入パウチの製造方法の一形態は、内容物を収容可能な内部空間を形成する袋本体部と、前記袋本体部に形成され、前記内部空間を開放する第１開口部と、前記袋本体部の側方部から外方に向けて突出するように形成され、前記内部空間に内容物を入れるために開放されている第２開口部とを備えるパウチと、前記内部空間に収容された内容物とを備える内容物封入パウチを製造するための製造方法であって、前記第１開口部が閉鎖され、前記第２開口部が開放されている前記パウチを製造する工程と、前記パウチの側方部における前記第２開口部の隣の部分をチャックする工程と、チャックされた前記パウチの前記第２開口部から前記内部空間に内容物を充填する工程と、前記内容物が充填された前記パウチの前記第２開口部をシールする工程とを備える。
【発明の効果】
【０００８】
上記パウチ、内容物封入パウチ、および、その製造方法によれば、開口部を容易にシールできる。
【図面の簡単な説明】
【０００９】
【図１】第１実施形態のパウチの正面図。
【図２】第２実施形態のパウチの正面図。
【図３】第２実施形態のパウチに関する図であり、パウチを形成するためのシートの平面図。
【図４】第３実施形態のパウチの正面図。
【図５】図４のＤ１１−Ｄ１１線において破断されたパウチの断面図。
【図６】第３実施形態の内容物封入パウチの製造工程に関する図であり、（ａ）は第２開口部が開封された状態のパウチの正面図、（ｂ）は第２開口部に充填機のノズルが挿入された状態のパウチの正面図、（ｃ）は内部空間に内容物が収容された状態のパウチの正面図。
【図７】第３実施形態の内容物封入パウチの製造工程に関する図であり、（ａ）は第２開口部にシール加工が施される前のパウチの正面図、（ｂ）は第２開口部にシール加工が施されている最中のパウチの正面図、（ｃ）は第２開口部にシール加工が施された後のパウチの正面図。
【図８】第４実施形態のパウチの正面図。
【図９】第４実施形態のパウチに関する図であり、通蒸部の拡大図。
【発明を実施するための形態】
【００１０】
（第１実施形態）
図１を参照して、パウチ２００の構成について説明する。なお、図１に示されるドットは、パウチ２００のシール部２２０を示している。また、以下の説明におけるパウチ２００の幅方向は、パウチ２００の正面視においてパウチ２００の高さ方向に直交する方向を示している。
【００１１】
パウチ２００は、スタンディングパウチとしての形態を有する。パウチ２００は、袋２１０およびファスナー２７０を有する。パウチ２００は、第２開口部２３６が形成された部分を除く縁の全部がシールされている。
【００１２】
袋２１０は、第１袋部分２３０、第２袋部分２５０、シール部２２０、およびガイド線２６０を有する。袋２１０は、積層シートにより形成されている。積層シートは、最外層、中間層、および最内層を有する。最外層は、ポリエチレンテレフタレート層により構成される。最内層は、無延伸ポリプロピレン層により構成される。中間層は、印刷層、第１接着層、延伸ナイロン層、および第２接着層により構成される。印刷層は、最外層の内側に形成されている。第１接着層は、印刷層の内側に形成されている。延伸ナイロン層は、第１接着層の内側に形成されている。第２接着層は、延伸ナイロン層の内側に形成されている。最内層は、第２接着層の内側に形成されている。印刷層は、外面に絵柄および商品の説明等を有する。
【００１３】
袋２１０は、第１角部２１１、第２角部２１２、第３角部２１３、第４角部２１４、第１側方縁２１５、第２側方縁２１６、上縁２１７、下縁２１８、および内部空間２１９を有する。
【００１４】
第１側方縁２１５は、袋２１０における第１角部２１１から第３角部２１３までの縁を形成している。第２側方縁２１６は、袋２１０における第２角部２１２から第４角部２１４までの縁を形成している。上縁２１７は、袋２１０において第１角部２１１から第２角部２１２までの縁を形成している。下縁２１８は、袋２１０において第３角部２１３から第４角部２１４までの縁を形成している。
【００１５】
第１側方縁２１５および上縁２１７は、第１角部２１１において互いに連続している。第１側方縁２１５および下縁２１８は、第３角部２１３において互いに連続している。第２側方縁２１６および上縁２１７は、第２角部２１２において互いに連続している。第２側方縁２１６および下縁２１８は、第４角部２１４において互いに連続している。
【００１６】
第１袋部分２３０は、袋本体部２３１、底ガゼット２３２および突出部分２３３を有する。
袋本体部２３１は、第１側方部２３１Ａ、第２側方部２３１Ｂ、第１開口部２３５および第２開口部２３６を有する。
【００１７】
第１側方部２３１Ａは、図中の二点鎖線よりも内部空間２１９側の部分を示している。
第２側方部２３１Ｂは、第２側方縁２１６を含む部分を示している。
第１開口部２３５は、ファスナー２７０を含む第１袋部分２３０の上縁に位置している。第１開口部２３５は、袋２１０が第１袋部分２３０と第２袋部分２５０とに分離している状態において、内容物を内部空間２１９に収容する機能を有する。
【００１８】
第２開口部２３６は、第１側方部２３１Ａから幅方向の外方に突出する形状を有する。第２開口部２３６は、内容物を内部空間２１９に収容する機能を有する。
底ガゼット２３２は、袋本体部２３１を支持している。図中の一点鎖線は、底ガゼット２３２と袋本体部２３１との境界を示している。
【００１９】
突出部分２３３は、第１側方部２３１Ａから幅方向の外方に突出する形状を有する。突出部分２３３は第２開口部２３６を含んで形成されている。
第２袋部分２５０は、開口シール部２５１を有する。
【００２０】
開口シール部２５１は、上縁２１７に形成されている。開口シール部２５１は、ファスナー２７０を密封している。
シール部２２０は、熱溶着により形成されている。シール部２２０は、第１側方シール部２２１、第２側方シール部２２２、上方シール部２２３、および下方シール部２２４を有する。
【００２１】
第１側方シール部２２１は、袋２１０において第１側方縁２１５を含む所定範囲の部分をシールしている。第１側方シール部２２１は、側方シール上部分２２１Ａおよび側方シール下部分２２１Ｂを有する。側方シール上部分２２１Ａおよび側方シール下部分２２１Ｂは、第２開口部２３６により互いに分断されている。
【００２２】
側方シール上部分２２１Ａは、袋２１０において第１角部２１１から第２開口部２３６までの範囲をシールしている。
側方シール下部分２２１Ｂは、第２開口部２３６において、袋本体部２３１と底ガゼット２３２との境界部分をシールしている。
【００２３】
第２側方シール部２２２は、袋２１０において第２側方縁２１６を含む所定範囲の部分をシールしている。上方シール部２２３は、上縁２１７を含む所定範囲の部分をシールしている。上方シール部２２３は、開口シール部２５１を含んで形成されている。下方シール部２２４は、下縁２１８を含む所定範囲の部分をシールしている。
【００２４】
ガイド線２６０は、開口ガイド線２６１とノッチ２６２とを有する。開口ガイド線２６１は、袋２１０において第１袋部分２３０および第２袋部分２５０を互いに分離するための部分として形成されている。ノッチ２６２は、開口ガイド線２６１と第２側方縁２１６との接点に位置している。ノッチ２６２は、開口ガイド線２６１に沿って袋２１０を切り取るときの始点として機能する。
【００２５】
ファスナー２７０は、第１開口部２３５を開封および密封することが可能な構造を有する。
パウチ２００の使用方法について説明する。
【００２６】
パウチ２００は、第２開口部２３６を介して内部空間２１９に内容物が充填される。
パウチ２００は、使用者により第２袋部分２５０が第１袋部分２３０から分離される。
使用者は、ファスナー２７０を開封して、内部空間２１９に肉や野菜等の具材を追加する。使用者は、内部空間２１９に具材を収容した後、ファスナー２７０により第１開口部２３５を密封する。その後、使用者は、第１袋部分２３０を電子レンジで加熱する。これにより、内容物および追加した具材が調理される。
【００２７】
なお、第１袋部分２３０を電子レンジで加熱することにともない、内容物から蒸気が発生する。このため、内部空間２１９の内圧が上昇する。内部空間２１９の内圧が所定の圧力まで上昇することにともない、ファスナー２７０が開封する。このため、ファスナー２７０を介して内部空間２１９で発生した蒸気が外部の空間へと排出される。このため、内部空間２１９の内圧が過度に上昇することが抑制される。
【００２８】
本実施形態のパウチ２００は、以下の効果を奏する。
（１）袋２１０は、第２開口部２３６を有する。この構成によれば、内容物封入パウチの製造過程において、第２開口部２３６から袋２１０の内部空間２１９に内容物１０を入れることができる。このため、内容物封入パウチの製造過程においてファスナー２７０に内容物１０が付着するおそれが低減される。
【００２９】
（２）袋２１０は、開口シール部２５１を有する。この構成によれば、内容物封入パウチの製造過程において、ファスナー２７０が開封されるおそれが低減される。このため、ファスナー２７０に内容物１０が付着するおそれを低減する効果が一層高くなる。
【００３０】
（３）袋２１０は、袋本体部２３１の第１側方部２３１Ａから突出した形状の第２開口部２３６を有する。この構成によれば、内容物封入パウチの製造過程において第２開口部２３６をシールするとき、充填機のチャックが、シール装置の移動軌跡上に位置しない状態を形成することが可能となる。このため、第２開口部２３６のシール加工が容易になる。
【００３１】
（第２実施形態）
図２および図３に示される第２実施形態のパウチ３００は、図１に示される第１実施形態のパウチ２００との主要な相違点として、次の相違点を有する。すなわち、第１実施形態のパウチ２００は、第２側方部２３１Ｂに凹形状を有さない。一方、本実施形態のパウチ３００は、第２側方部２３１Ｂに凹形状を有する。以下では、第１実施形態のパウチ２００と異なる点の詳細を説明する。
【００３２】
第１袋部分２３０の第２側方部２３１Ｂは、第２側方縁２１６を含む部分を示している。第２側方部２３１Ｂは、第１側方部２３１Ａと反対側の側方部である。第２側方部２３１Ｂは、第２開口部２３６に対応する凹形状２３７を有する。
【００３３】
図３を参照して、パウチ３００が製造される工程について説明する。
パウチ３００は、１枚のシート上に複数のパウチ３００の型が配置された型パウチ６００を切断することにより製造される。パウチ３００の型は、隣り合う２つのパウチの型において、一方の型の第２側方部２３１Ｂに他方の型の第２開口部２３６が配置される。隣り合うパウチ３００の型の間の廃棄部分３１０は、カッターにより切り取られる。
【００３４】
本実施形態のパウチ３００は、上記（１）〜（３）の効果に加えて、以下の効果を奏する。
（４）袋２１０の第２側方部２３１Ｂは、第２開口部２３６に対応する凹形状２３７を有する。この構成によれば、隣り合う２つのパウチ３００の型において、一方の型の第２側方部２３１Ｂに他方の型の第２開口部２３６を配置することが可能になる。このため、歩留まりが向上する。
【００３５】
（第３実施形態）
図４等に示される第３実施形態のパウチ７００は、図１に示される第１実施形態のパウチ２００との主要な相違点として、次の相違点を有する。すなわち、第１実施形態のパウチ２００は、ファスナー２７０を有する。一方、本実施形態のパウチ７００は、ファスナー８００および易開封シール部９００を有する。以下では、第１実施形態のパウチ２００と異なる点の詳細を説明する。
【００３６】
ファスナー８００および易開封シール部９００の構成について説明する。
図５に示されるように、ファスナー８００は、雌型８１０および雄型８２０を有する。雌型８１０は、雌型基材８１１および雌型主要部８１２を有する。
【００３７】
雌型基材８１１は、袋２１０を形成するシートに熱溶着されている。雌型基材８１１は、雌型主要部８１２を支持する機能を有する。
雌型主要部８１２は、椀型形状を有する。雌型主要部８１２は、雌型基材８１１と一体的に形成されている。雌型主要部８１２は、開封側爪８１３および内容物側爪８１４を有する。
【００３８】
開封側爪８１３は、雌型基材８１１側に屈曲する形状を有する。開封側爪８１３は、内容物側爪８１４よりも袋２１０の開封側に位置している。
内容物側爪８１４は、雌型基材８１１側に屈曲する形状を有する。内容物側爪８１４は、開封側爪８１３よりも袋２１０の内部空間２１９側に位置している。
【００３９】
雄型８２０は、雄型基材８２１および雄型主要部８２２を有する。
雄型基材８２１は、袋２１０を形成するシートに熱溶着されている。雄型基材８２１は、雄型主要部８２２を支持する機能を有する。
【００４０】
雄型主要部８２２は、矢尻型形状を有する。雄型主要部８２２は、雄型基材８２１と一体的に形成されている。雄型主要部８２２は、支持部８２３および先端部８２４を有する。支持部８２３は、雄型基材８２１と連続して形成されている。支持部８２３は、雄型基材８２１から雌型基材８１１に突出する形状を有する。
【００４１】
先端部８２４は、支持部８２３と連続して形成されている。先端部８２４は、開封側爪８２４Ａおよび内容物側爪８２４Ｂを有する。開封側爪８２４Ａは、雌型主要部８１２の開封側爪８１３と嵌合する形状を有する。内容物側爪８２４Ｂは、雌型主要部８１２の内容物側爪８１４と嵌合する形状を有する。内容物側爪８２４Ｂと内容物側爪８１４との嵌合強度は、開封側爪８２４Ａと開封側爪８１３との嵌合強度よりも大きい。このため、ファスナー８００は、内部空間側よりも開封側のほうから開封しやすい構造を有する。
【００４２】
易開封シール部９００は、内部空間２１９の内容物がファスナー８００に付着することを抑制する機能を有する。易開封シール部９００は、第１開口部２３５を密封している。易開封シール部９００は、ファスナー８００に対して内部空間２１９側に位置している。易開封シール部９００は、主要部９１０および袋シール部９２０を有する。
【００４３】
主要部９１０は、ファスナー８００の雌型基材８１１と同一の材料により一体的に形成されている。主要部９１０は、袋シール部９２０と同一の材料により一体的に形成されている。
【００４４】
袋シール部９２０は、袋２１０の内周面とシールされている。袋シール部９２０は、シール部２２０よりも低いシール強度を有する。
図６および図７を参照して、パウチ７００を用いた内容物封入パウチ７１０の製造工程について説明する。
【００４５】
内容物封入パウチ７１０の製造工程は、第１工程、第２工程（図６（ａ））、第３工程（図６（ｂ））、第４工程（図６（ｃ））、第５工程（図７（ａ））、第６工程（図７（ｂ））、および第７工程（図７（ｃ））を含む。
【００４６】
第１工程においては、パウチ７００が製造される。
第２工程においては、パウチ７００の第１角部２１１の周辺および第３角部２１３の周辺がそれぞれ充填機４００のチャック４１０によりチャッキングされる。
【００４７】
パウチ７００は、図６（ａ）に示される状態で、充填ラインに搬送される。所定の充填ライン位置において、第２開口部２３６は吸盤（図示略）により開封される。
第３工程においては、図６（ｂ）に示されるように、第２開口部２３６にノズル４２０が挿入される。ノズル４２０は、内部空間２１９に内容物１０を充填する。
【００４８】
第４工程においては、図６（ｃ）に示されるように、内部空間２１９に所定量の内容物１０が充填されることにより充填が終了する。内部空間２１９への内容物１０の充填が終了した後、ノズル４２０は第２開口部２３６から抜かれる。
【００４９】
第５工程においては、図７（ａ）に示されるように、パウチ７００の第１角部２１１の周辺および第３角部２１３の周辺がそれぞれ充填機４００のチャック４１０によりチャッキングされたままパウチ７００がシール加工ラインに搬送される。
【００５０】
第６工程においては、図７（ｂ）に示されるように、所定のシール加工ライン位置において、シール装置５００は、第２開口部２３６を挟む。これにより、第２開口部２３６にシール加工が施される。
【００５１】
第７工程においては、シール加工の終了後、図７（ｃ）に示されるように、シール装置５００は、第２開口部２３６の挟み込み状態を解除する。
本実施形態のパウチ７００は、上記（１）〜（３）の効果に加えて、以下の効果を奏する。
【００５２】
（５）袋２１０は、易開封シール部９００を有する。易開封シール部９００は、第１開口部２３５を密封している。易開封シール部９００は、ファスナー８００に対して内部空間２１９側に形成されている。このため、第２開口部２３６から袋２１０の内部空間２１９に内容物１０をいれるときに、内容物１０がファスナー８００に付着するおそれがより低減される。
【００５３】
（第４実施形態）
図８等に示される第４実施形態のパウチ９５０は、図１に示される第１実施形態のパウチ２００との主要な相違点として、次の相違点を有する。すなわち、第１実施形態のパウチ２００は、シール部２２０に通蒸部を有さない。一方、本実施形態のパウチ９５０は、シール部２２０に通蒸部９５１を有する。以下では、第１実施形態のパウチ２００と異なる点の詳細を説明する。
【００５４】
図８を参照して、通蒸部９５１の構成について説明する。
通蒸部９５１は、内部空間２１９で発生した蒸気を内部空間２１９から外部の空間へ排出する機能を有する。通蒸部９５１は、パウチ２００の幅方向の外側から内側に向けて窪む形状を有する。通蒸部９５１は、第２側方シール部２２２の一部が幅方向の外側から内側に向けて窪むことにより形成されている。
【００５５】
パウチ９５０の使用方法について説明する。
パウチ９５０は、第２開口部２３６を介して内部空間２１９に内容物が充填される。パウチ９５０は、第３実施形態のパウチ７００と同様の手順により内部空間２１９に内容物が充填される。
【００５６】
パウチ９５０は、使用者により第２袋部分２５０が第１袋部分２３０から分離される。
使用者は、ファスナー２７０を開封して、内部空間２１９に肉や野菜等の具材を追加する。使用者は、内部空間２１９に具材を収容した後、ファスナー２７０により第１開口部２３５を密封する。その後、使用者は、第１袋部分２３０を電子レンジで加熱する。これにより、内容物および追加した具材が調理される。
【００５７】
なお、第１袋部分２３０を電子レンジで加熱することにともない、内容物から蒸気が発生する。このため、内部空間２１９の内圧が上昇する。図９に示されるように、内部空間２１９の内圧が所定の圧力まで上昇することにともない、通蒸部９５１のシールが剥離する。このため、通蒸部９５１に開口９５１Ａが形成される。内部空間２１９で発生した蒸気は、開口９５１Ａを介して外部の空間へと排出される。このため、内部空間２１９の内圧が過度に上昇することが抑制される。
【００５８】
（その他の実施形態）
本パウチ、本内容物封入パウチ、および、その製造方法は、第１実施形態〜第４実施形態以外の実施形態を含む。以下、本パウチ、内容物封入パウチ、および、その製造方法のその他の実施形態としての第１実施形態〜第４実施形態の変形例を示す。
【００５９】
・第３実施形態のパウチ７００は、易開封シール部９００を有する。易開封シール部９００は、袋シール部９２０を有する。袋シール部９２０は、袋２１０の内周面とシールされている。一方、変形例の易開封シール部は、袋２１０の対向する内周面が互いにシールされることによりイージーピール性を有する。
【符号の説明】
【００６０】
１０…内容物、２００…パウチ、２１０…袋、２１１…第１角部、２１２…第２角部、２１３…第３角部、２１４…第４角部、２１５…第１側方縁、２１６…第２側方縁、２１７…上縁、２１８…下縁、２１９…内部空間、２２０…シール部、２２１…第１側方シール部、２２１Ａ…側方シール上部分、２２１Ｂ…側方シール下部分、２２２…第２側方シール部、２２３…上方シール部、２２４…下方シール部、２３０…第１袋部分、２３１…袋本体部、２３１Ａ…第１側方部、２３１Ｂ…第２側方部、２３２…底ガゼット、２３３…突出部分、２３５…第１開口部、２３６…第２開口部、２３７…凹形状、２５０…第２袋部分、２５１…開口シール部、２６０…ガイド線、２６１…開口ガイド線、２６２…ノッチ、２７０…ファスナー、２７１…開口ファスナー部、３００…パウチ、３１０…廃棄部分、４００…充填機、４１０…チャック、４２０…ノズル、５００…シール装置、６００…型パウチ、７００…パウチ、７１０…内容物封入パウチ、８００…ファスナー、８１０…雌型、８１１…雌型基材、８１２…雌型主要部、８１３…開封側爪、８１４…内容物側爪、８２０…雄型、８２１…雄型基材、８２２…雄型主要部、８２３…支持部、８２４…先端部、８２４Ａ…開封側爪、８２４Ｂ…内容物側爪、９００…易開封シール部、９１０…主要部、９２０…袋シール部、９５０…パウチ、９５１…通蒸部、９５１Ａ…開口。
【図１】
2015143136.tif 000003
【図２】
2015143136.tif 000004
【図３】
2015143136.tif 000005
【図４】
2015143136.tif 000006
【図５】
2015143136.tif 000007
【図６】
2015143136.tif 000008
【図７】
2015143136.tif 000009
【図８】
2015143136.tif 000010
【図９】
2015143136.tif 000011